【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
用紙に画像を形成する画像形成装置と、
前記画像形成装置により前記用紙に形成されている前記画像を読み取る画像読取装置と、
を含む画像形成システムであって、
前記画像読取装置は、
前記画像が形成されている前記用紙を搬送する搬送部と、
前記搬送部により前記用紙が搬送されながら前記画像を読み取る読取部と、
前記搬送部による用紙搬送方向に対して、前記読取部が前記画像を読み取る読取位置の上流側に配置された上流側押さえ部材と、
前記搬送部による前記用紙搬送方向に対して、前記読取部が前記画像を読み取る前記読取位置の下流側に配置された下流側押さえ部材と、
を備え、
前記搬送部による前記用紙搬送方向における前記用紙の先端からの距離が、前記読取位置と前記下流側押さえ部材との間の第１の距離以上、及び、前記用紙搬送方向における前記用紙の後端までの距離が、前記読取位置と前記上流側押さえ部材との間の第２の距離以上、の少なくとも一方が満たされる領域を色判定領域とする、
画像形成システム。
【請求項２】
前記画像形成装置は、
前記画像のうち、前記画像の色の補正に使用される色補正画像を、前記色判定領域に基づき設定される色補正画像形成領域に形成するものである、
請求項１に記載の画像形成システム。
【請求項３】
前記搬送部による前記用紙搬送方向に対して、前記読取位置の上流側に配置され、前記上流側押さえ部材が押圧する前記用紙の一方の面と異なる面に接して、前記読取位置を搬送される前記用紙をガイドする上流側基準部材と、
前記搬送部による前記用紙搬送方向に対して、前記読取位置の下流側に配置され、前記下流側押さえ部材が押圧する前記用紙の一方の面と異なる面に接して、前記読取位置を搬送される前記用紙をガイドする下流側基準部材と、
を備える、
請求項１又は２に記載の画像形成システム。
【請求項４】
前記読取部と対向し、光を反射させる背景部材をさらに備え、
前記上流側基準部材及び前記下流側基準部材は、前記背景部材の上流側及び下流側にそれぞれ配置され、前記背景部材から前記用紙を離間させるものであり、当該上流側基準部材及び当該下流側基準部材と前記読取部との距離が、前記背景部材と前記読取部との距離より近い位置に、当該上流側基準部材及び当該下流側基準部材が配置されている、
請求項３に記載の画像形成システム。
【請求項５】
前記画像形成装置は、
前記画像の位置の補正に使用される位置補正画像を前記用紙に形成するものであり、
前記位置補正画像は、
前記色判定領域の外側に形成される、
請求項１〜４の何れか一項に記載の画像形成システム。
【請求項６】
前記読取部は、
前記読取位置を通過する前記用紙に照明光を照らす光源と、
前記光源と前記背景部材との間に配置され、且つ前記背景部材と対向するものであって、前記照明光を透過させるガラス部材と、
前記光源から照らされる前記照明光のうち前記背景部材に反射される反射光を含む入射光の光量を読み取るセンサーと、
前記センサーと前記ガラス部材との間に配置され、前記入射光を収束させるレンズと、
をさらに備え、
前記上流側押さえ部材及び前記下流側押さえ部材は、
前記ガラス部材から前記用紙を離間させるものであり、
前記用紙は、
前記上流側押さえ部材及び前記下流側押さえ部材で押圧され、且つ前記上流側基準部材及び前記下流側基準部材に接触しつつ、前記背景部材と、前記ガラス部材との間を通過する、
請求項４に記載の画像形成システム。
【請求項７】
前記読取部は、
前記光源と、前記ガラス部材との間に配置され、前記照明光を前記用紙に導く導光部材
をさらに備え、
前記上流側押さえ部材及び前記下流側押さえ部材は、
前記照明光、前記反射光、及び前記入射光が通過する光路から外れている位置に配置されるものであり、
前記光路は、
前記光源及び前記導光部材の配置位置で決まるものである、
請求項６に記載の画像形成システム。
【請求項８】
前記上流側押さえ部材及び前記下流側押さえ部材は、
位置が変わりつつ、前記用紙との接触状態を維持するものであって、且つ前記用紙の搬送に追従して回転自在なコロである、
請求項１〜７の何れか一項に記載の画像形成システム。
【請求項９】
前記上流側基準部材及び前記下流側基準部材は、
前記用紙の搬送に追従して回転自在なコロである、
請求項３又は４に記載の画像形成システム。
【請求項１０】
前記用紙の面のうち、前記読取部と対向する面の法線方向に沿って前記上流側押さえ部材及び前記下流側押さえ部材を調整自在な調整部材、
をさらに備え、
前記調整部材は、
弾性部材及び駆動部の少なくとも一方を含むものであって、
前記弾性部材は、
前記読取部と対向する面に向かって前記上流側押さえ部材及び前記下流側押さえ部材を付勢するものであり、
前記駆動部は、
前記読取部と対向する面に接触する位置まで前記上流側押さえ部材及び前記下流側押さえ部材の位置を移動させるものである、
請求項１〜９の何れか一項に記載の画像形成システム。
【請求項１１】
前記画像形成装置は、
前記第１の距離に設定される前記用紙搬送方向における前記用紙の先端からの距離と、前記第２の距離に設定される前記用紙搬送方向における前記用紙の後端までの距離と、に基づき、前記画像の色の補正に使用される色補正画像を前記用紙に形成する、
請求項１〜１０の何れか一項に記載の画像形成システム。
【請求項１２】
前記読取部は、
ラインイメージセンサーを備える、
請求項１〜１１の何れか一項に記載の画像形成システム。
【請求項１３】
前記読取部は、
前記光源と前記背景部材との間の前記光路の一部に配置され、前記照明光の向きを前記背景部材の方に変更させるミラー
をさらに備える、
請求項７に記載の画像形成システム。
【請求項１４】
前記搬送部による前記用紙搬送方向における前記用紙の先端からの距離が、前記読取位置と前記下流側押さえ部材との間の前記第１の距離以上であり、かつ、前記用紙搬送方向における前記用紙の後端までの距離が、前記読取位置と前記上流側押さえ部材との間の前記第２の距離以上である領域を、前記色判定領域とする、
請求項１〜１２の何れか一項に記載の画像形成システム。
【請求項１５】
画像が形成されている用紙を搬送する搬送部と、
前記搬送部により前記用紙が搬送されながら前記画像を読み取る読取部と、
前記搬送部による用紙搬送方向に対して、前記読取部が前記画像を読み取る読取位置の上流側に配置された上流側押さえ部材と、
前記搬送部による前記用紙搬送方向に対して、前記読取部が前記画像を読み取る前記読取位置の下流側に配置された下流側押さえ部材と、
を備える画像読取装置における前記読取部で読み取られる前記画像を前記用紙に形成する画像形成装置であって、
前記搬送部による前記用紙搬送方向における前記用紙の先端からの距離が、前記読取位置と前記下流側押さえ部材との間の第１の距離以上、及び、前記用紙搬送方向における前記用紙の後端までの距離が、前記読取位置と前記上流側押さえ部材との間の第２の距離以上、の少なくとも一方が満たされる領域を色判定領域とする、
画像形成装置。
【請求項１６】
用紙に形成されている画像を読み取る画像読取装置であって、
前記画像が形成されている前記用紙を搬送する搬送部と、
前記搬送部により前記用紙が搬送されながら前記画像を読み取る読取部と、
前記搬送部による用紙搬送方向に対して、前記読取部が画像を読み取る読取位置の上流側に配置された上流側押さえ部材と、
前記搬送部による前記用紙搬送方向に対して、前記読取部が前記画像を読み取る読取位置の下流側に配置された下流側押さえ部材と、
を備え、
前記搬送部による前記用紙搬送方向における前記用紙の先端からの距離が、前記読取位置と前記下流側押さえ部材との間の第１の距離以上、及び、前記用紙搬送方向における前記用紙の後端までの距離が、前記読取位置と前記上流側押さえ部材との間の第２の距離以上、の少なくとも一方が満たされる領域を色判定領域とする、
画像読取装置。
【手続補正２】
【補正対象書類名】明細書
【補正対象項目名】発明の名称
【補正方法】変更
【補正の内容】
【発明の名称】画像形成システム、画像形成装置及び画像読取装置
【手続補正３】
【補正対象書類名】明細書
【補正対象項目名】０００１
【補正方法】変更
【補正の内容】
【０００１】
本開示は、画像形成システム、画像形成装置及び画像読取装置に関する。
【手続補正４】
【補正対象書類名】明細書
【補正対象項目名】０００７
【補正方法】変更
【補正の内容】
【０００７】
本開示の第１の側面である画像形成システムは、用紙に画像を形成する画像形成装置と、前記画像形成装置により前記用紙に形成されている前記画像を読み取る画像読取装置と、を含む画像形成システムであって、前記画像読取装置は、前記画像が形成されている前記用紙を搬送する搬送部と、前記搬送部により前記用紙が搬送されながら前記画像を読み取る読取部と、前記搬送部による用紙搬送方向に対して、前記読取部が前記画像を読み取る読取位置の上流側に配置された上流側押さえ部材と、前記搬送部による前記用紙搬送方向に対して、前記読取部が前記画像を読み取る前記読取位置の下流側に配置された下流側押さえ部材と、を備え、前記搬送部による前記用紙搬送方向における前記用紙の先端からの距離が、前記読取位置と前記下流側押さえ部材との間の第１の距離以上、及び、前記用紙搬送方向における前記用紙の後端までの距離が、前記読取位置と前記上流側押さえ部材との間の第２の距離以上、の少なくとも一方が満たされる領域を色判定領域とする。
【手続補正５】
【補正対象書類名】明細書
【補正対象項目名】０００８
【補正方法】変更
【補正の内容】
【０００８】
色判定領域は、搬送部による用紙搬送方向における用紙の先端からの距離が、読取位置と下流側押さえ部材との間の第１の距離以上、及び、用紙搬送方向における用紙の後端までの距離が、読取位置と上流側押さえ部材との間の第２の距離以上、の少なくとも一方が満たされる領域である。読取部の読取位置は、用紙に形成されている画像を最も正確に読み取ることができる位置である。上流側押さえ部材は、読取部の読取位置の上側に配置されるものであり、下流側押さえ部材は、読取部の読取位置の下流側のそれぞれに配置されるものであり、何れか一方だけでは、用紙が読取部の読取位置を通過するときに用紙が変動する恐れがある。よって、読取部の読取位置の上流側には上流側押さえ部材が配置され、読取部の下流側には下流側押さえ部材が配置されるのが望ましい。つまり、色判定領域は、読取部の読取位置と、読取部の読取位置の上流側にある上流側押さえ部材の配置位置と、読取部の読取位置の下流側にある下流側押さえ部材の配置位置とに基づくものであれば、用紙を正確に読み取るための位置と、用紙の変動を押さえつけるための位置とが考慮されるものとなる。よって、色判定領域に基づき画像の読取範囲を定めれば、用紙に形成されている画像の色を正確に読み取らせることができる。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
また、前記画像形成装置は、前記画像のうち、前記画像の色の補正に使用される色補正画像を、前記色判定領域に基づき設定される色補正画像形成領域に形成するものである、ことが好ましい。
また、前記搬送部による前記用紙搬送方向に対して、前記読取位置の上流側に配置され、前記上流側押さえ部材が押圧する前記用紙の一方の面と異なる面に接して、前記読取位置を搬送される前記用紙をガイドする上流側基準部材と、前記搬送部による前記用紙搬送方向に対して、前記読取位置の下流側に配置され、前記下流側押さえ部材が押圧する前記用紙の一方の面と異なる面に接して、前記読取位置を搬送される前記用紙をガイドする下流側基準部材と、を備える、ことが好ましい。
【手続補正８】
【補正対象書類名】明細書
【補正対象項目名】００１１
【補正方法】変更
【補正の内容】
【００１１】
また、前記読取部と対向し、光を反射させる背景部材をさらに備え、前記上流側基準部材及び前記下流側基準部材は、前記背景部材の上流側及び下流側にそれぞれ配置され、前記背景部材から前記用紙を離間させるものであり、当該上流側基準部材及び当該下流側基準部材と前記読取部との距離が、前記背景部材と前記読取部との距離より近い位置に、当該上流側基準部材及び当該下流側基準部材が配置されている、ことが好ましい。
【手続補正９】
【補正対象書類名】明細書
【補正対象項目名】００１２
【補正方法】変更
【補正の内容】
【００１２】
また、前記画像形成装置は、前記画像の位置の補正に使用される位置補正画像を前記用紙に形成するものであり、前記位置補正画像は、前記色判定領域の外側に形成される、ことが好ましい。
【手続補正１０】
【補正対象書類名】明細書
【補正対象項目名】００１３
【補正方法】変更
【補正の内容】
【００１３】
また、前記読取部は、前記読取位置を通過する前記用紙に照明光を照らす光源と、前記光源と前記背景部材との間に配置され、且つ前記背景部材と対向するものであって、前記照明光を透過させるガラス部材と、前記光源から照らされる前記照明光のうち前記背景部材に反射される反射光を含む入射光の光量を読み取るセンサーと、前記センサーと前記ガラス部材との間に配置され、前記入射光を収束させるレンズと、をさらに備え、前記上流側押さえ部材及び前記下流側押さえ部材は、前記ガラス部材から前記用紙を離間させるものであり、前記用紙は、前記上流側押さえ部材及び前記下流側押さえ部材で押圧され、且つ前記上流側基準部材及び前記下流側基準部材に接触しつつ、前記背景部材と、前記ガラス部材との間を通過する、ことが好ましい。
【手続補正１１】
【補正対象書類名】明細書
【補正対象項目名】００１４
【補正方法】変更
【補正の内容】
【００１４】
また、前記読取部は、前記光源と、前記ガラス部材との間に配置され、前記照明光を前記用紙に導く導光部材をさらに備え、前記上流側押さえ部材及び前記下流側押さえ部材は、前記照明光、前記反射光、及び前記入射光が通過する光路から外れている位置に配置されるものであり、前記光路は、前記光源及び前記導光部材の配置位置で決まるものである、ことが好ましい。
【手続補正１２】
【補正対象書類名】明細書
【補正対象項目名】００１５
【補正方法】変更
【補正の内容】
【００１５】
また、前記上流側押さえ部材及び前記下流側押さえ部材は、位置が変わりつつ、前記用紙との接触状態を維持するものであって、且つ前記用紙の搬送に追従して回転自在なコロである、ことが好ましい。
【手続補正１３】
【補正対象書類名】明細書
【補正対象項目名】００１６
【補正方法】変更
【補正の内容】
【００１６】
また、前記上流側基準部材及び前記下流側基準部材は、前記用紙の搬送に追従して回転自在なコロである、ことが好ましい。
【手続補正１４】
【補正対象書類名】明細書
【補正対象項目名】００１７
【補正方法】変更
【補正の内容】
【００１７】
また、前記用紙の面のうち、前記読取部と対向する面の法線方向に沿って前記上流側押さえ部材及び前記下流側押さえ部材を調整自在な調整部材、をさらに備え、前記調整部材は、弾性部材及び駆動部の少なくとも一方を含むものであって、前記弾性部材は、前記読取部と対向する面に向かって前記上流側押さえ部材及び前記下流側押さえ部材を付勢するものであり、前記駆動部は、前記読取部と対向する面に接触する位置まで前記上流側押さえ部材及び前記下流側押さえ部材の位置を移動させるものである、ことが好ましい。
【手続補正１５】
【補正対象書類名】明細書
【補正対象項目名】００１８
【補正方法】変更
【補正の内容】
【００１８】
また、前記画像形成装置は、前記第１の距離に設定される前記用紙搬送方向における前記用紙の先端からの距離と、前記第２の距離に設定される前記用紙搬送方向における前記用紙の後端までの距離と、に基づき、前記画像の色の補正に使用される色補正画像を前記用紙に形成する、ことが好ましい。
【手続補正１６】
【補正対象書類名】明細書
【補正対象項目名】００１９
【補正方法】変更
【補正の内容】
【００１９】
また、前記読取部は、ラインイメージセンサーを備える、ことが好ましい。
【手続補正１７】
【補正対象書類名】明細書
【補正対象項目名】００２０
【補正方法】変更
【補正の内容】
【００２０】
また、前記読取部は、前記光源と前記背景部材との間の前記光路の一部に配置され、前記照明光の向きを前記背景部材の方に変更させるミラーをさらに備える、ことが好ましい。
また、前記搬送部による前記用紙搬送方向における前記用紙の先端からの距離が、前記読取位置と前記下流側押さえ部材との間の前記第１の距離以上であり、かつ、前記用紙搬送方向における前記用紙の後端までの距離が、前記読取位置と前記上流側押さえ部材との間の前記第２の距離以上である領域を、前記色判定領域とする、ことが好ましい。
また、本開示の第２の側面である画像形成装置は、画像が形成されている用紙を搬送する搬送部と、前記搬送部により前記用紙が搬送されながら前記画像を読み取る読取部と、前記搬送部による用紙搬送方向に対して、前記読取部が前記画像を読み取る読取位置の上流側に配置された上流側押さえ部材と、前記搬送部による前記用紙搬送方向に対して、前記読取部が前記画像を読み取る前記読取位置の下流側に配置された下流側押さえ部材と、を備える画像読取装置における前記読取部で読み取られる前記画像を前記用紙に形成する画像形成装置であって、前記搬送部による前記用紙搬送方向における前記用紙の先端からの距離が、前記読取位置と前記下流側押さえ部材との間の第１の距離以上、及び、前記用紙搬送方向における前記用紙の後端までの距離が、前記読取位置と前記上流側押さえ部材との間の第２の距離以上、の少なくとも一方が満たされる領域を色判定領域とする、ことが好ましい。
【手続補正１８】
【補正対象書類名】明細書
【補正対象項目名】００２１
【補正方法】変更
【補正の内容】
【００２１】
また、本開示の第３の側面である画像読取装置は、用紙に形成されている画像を読み取る画像読取装置であって、前記画像が形成されている前記用紙を搬送する搬送部と、前記搬送部により前記用紙が搬送されながら前記画像を読み取る読取部と、前記搬送部による用紙搬送方向に対して、前記読取部が前記画像を読み取る読取位置の上流側に配置された上流側押さえ部材と、前記搬送部による前記用紙搬送方向に対して、前記読取部が前記画像を読み取る前記読取位置の下流側に配置された下流側押さえ部材と、を備え、前記搬送部による前記用紙搬送方向における前記用紙の先端からの距離が、前記読取位置と前記下流側押さえ部材との間の第１の距離以上、及び、前記用紙搬送方向における前記用紙の後端までの距離が、前記読取位置と前記上流側押さえ部材との間の第２の距離以上、の少なくとも一方が満たされる領域を色判定領域とする。
【手続補正１９】
【補正対象書類名】明細書
【補正対象項目名】００２３
【補正方法】変更
【補正の内容】
【００２３】
本開示の第１〜第３の側面によれば、用紙に形成されている画像の色を正確に読み取らせることができる。
【手続補正２０】
【補正対象書類名】明細書
【補正対象項目名】００３０
【補正方法】変更
【補正の内容】
【００３０】
画像読取装置７は、スキャナー７６Ａ、スキャナー７６Ｂ、測色計７８、背景部材７４Ａ〜７４Ｃ、搬送部７２、及び搬送経路７１を備える。搬送経路７１は、用紙Ｐが通過する経路である。搬送部７２は、画像が形成されている用紙Ｐを搬送するものである。よって、搬送経路７１は、搬送部７２の駆動により用紙Ｐが搬送されるものである。画像読取装置７は、例えば、画像形成装置５から供給された用紙Ｐを受け取ると、用紙Ｐに形成された画像をスキャナー７６Ａ，７６Ｂ及び測色計７８に読み取らせるものである。画像の読取結果は、画像形成装置５等に出力される。具体的には、スキャナー７６Ａ及びスキャナー７６Ｂのそれぞれは、搬送経路７１を通紙する用紙Ｐの表裏の何れか一方と対向する位置に配置されている。スキャナー７６Ａは、用紙Ｐの裏面を読み取る位置に配置されている。スキャナー７６Ａの読取結果は、例えば、用紙Ｐに印刷された画像の表裏面のずれのチェック、又は想定外の画像の有無等のチェックに利用される。一方、スキャナー７６Ｂは、用紙Ｐの表面を読み取る位置に配置されている。具体的には、スキャナー７６Ｂは、用紙Ｐに印刷された色補正画像Ｉ、例えば、パッチを読み取るものである。スキャナー７６Ｂは、用紙Ｐが搬送されるにつれ、用紙Ｐの進行方向に直交する直交方向、すなわち主走査方向に沿って、用紙Ｐに形成された色補正画像Ｉの色を読み取るものである。色補正画像Ｉは、画像のうち、画像の色の補正に使用されるものである。なお、スキャナー７６Ａ及びスキャナー７６Ｂを総称する場合、スキャナー７６と称する。背景部材７４Ａ〜７４Ｃを総称する場合、背景部材７４と称する。また、スキャナー７６は、本開示の第１の側面である画像形成システムにおける「読取部」に相当する。
【手続補正２１】
【補正対象書類名】明細書
【補正対象項目名】００３６
【補正方法】変更
【補正の内容】
【００３６】
なお、以降の説明において、押さえ部材７６３Ａ，７６３Ｂの何れかを特に限定しない場合、押さえ部材７６３と称する。また、押さえ部材７６３Ａは、本開示の第１の側面である画像形成システムにおける「下流側押さえ部材」に相当する。また、押さえ部材７６３Ｂは、本開示の第１の側面である画像形成システムにおける「上流側押さえ部材」に相当する。押さえ部材７６３は、センサー７６２の読取位置Ｙの上流側及び下流側のそれぞれに配置され、光源７６１と背景部材７４との間を通過する用紙Ｐの変動を押さえるものである。具体的には、押さえ部材７６３Ａは、センサー７６２の読取位置Ｙの下流側に配置され、光源７６１と背景部材７４との間を通過する用紙Ｐの変動を押さえるものである。一方、押さえ部材７６３Ｂは、センサー７６２の読取位置Ｙの上流側に配置され、光源７６１と背景部材７４との間を通過する用紙Ｐの変動を押さえるものである。
【手続補正２２】
【補正対象書類名】明細書
【補正対象項目名】００３７
【補正方法】変更
【補正の内容】
【００３７】
また、図５に示すように、スキャナー７６は、基準部材７３Ａ，７３Ｂ及び調整部材８１０を備える。なお、基準部材７３Ａ、７３Ｂの何れかを特に限定しない場合、基準部材７３と称する。また、基準部材７３Ａは、本開示の第１の側面である画像形成システムにおける「下流側基準部材」に相当する。また、基準部材７３Ｂは、本開示の第１の側面である画像形成システムにおける「上流側基準部材」に相当する。基準部材７３は、背景部材７４の上流側及び下流側にそれぞれ配置され、背景部材７４から用紙Ｐを離間させるものである。具体的には、基準部材７３Ａは、背景部材７４の下流側に配置され、背景部材７４から用紙Ｐを離間させるものである。基準部材７３Ｂは、背景部材７４の上流側に配置され、背景部材７４から用紙Ｐを離間させるものである。なお、基準部材７３は、背景部材７４よりもスキャナー７６に近い位置に配置されている。